(57)【要約】【課題】５本の指を入れる機能以外の機能を有する手袋を提供する。【解決手段】手袋（１００）は、手の甲を覆う領域の一部にわたって形成されたポケット（１３０）を有する。例えば、手袋をしていても寒いような日には、ポケット（１３０）に薄型のカイロを入れておくことにより、さらに手を暖め、手を保温することが可能になる。【選択図】図１
0003118615.tif 000002
【実用新案登録請求の範囲】
【請求項１】
手の甲を覆う領域の少なくとも一部にわたって形成されたポケット及び手のひらを覆う領域の少なくとも一部にわたって形成されたポケットの少なくとも何れか一方を有する手袋。
【請求項２】
前記ポケットの開口を着脱自在に覆うポケットカバーが形成されていることを特徴とする請求項１に記載の手袋。
【請求項３】
前記ポケットが形成されている領域は他の領域とは異なる配色が施されていることを特徴とする請求項１または２に記載の手袋。
【考案の詳細な説明】
【技術分野】
【０００１】
本考案は手袋に関する。
【背景技術】
【０００２】
通常、手袋は５本の指を入れるように構成されており、手袋に５本の指を入れることによって、手を寒さから守ったり、あるいは、手がケガしないように手を防御したりする機能を有しているが、これ以外の特段の機能を有するものではない。
【考案の開示】
【考案が解決しようとする課題】
【０００３】
手袋は、５本の指を入れるという目的を達成するため、構造が一元化しており、５本の指を入れる機能以外の機能を付加することが極めて難しい。
【０００４】
例えば、工事現場などで手袋をしている場合において、釘、工具その他数種類の物品を両手で保持しなければならないようなときであっても、両手で保持し得る物品の数は限られる。このようなときに、手袋を有効利用することができれば便利であるが、これまでに、そのような手袋が提案されたことはなかった。
【０００５】
本考案はこのような問題点に鑑みてなされたものであり、５本の指を入れる機能以外の機能を有する手袋を提供することを目的とする。
【課題を解決するための手段】
【０００６】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている発明の技術的範囲の解釈に用いるべきものではない。
【０００７】
上記の目的を達成するため、本考案は、手の甲を覆う領域の少なくとも一部にわたって形成されたポケット（１３０）及び手のひらを覆う領域の少なくとも一部にわたって形成されたポケット（１４０）の少なくとも何れか一方を有する手袋（１００、２００）を提供する。
【０００８】
本考案に係る手袋（１００、２００）は前記ポケット（１３０、１４０）の開口を着脱自在に覆うポケットカバー（１３２）を備えていることが好ましい。
【０００９】
また、前記ポケット（１３０、１４０）が形成されている領域に他の領域とは異なる配色を施すことも可能である。
【考案の効果】
【００１０】
本考案に係る手袋によれば、次のような効果を得ることができる。
【００１１】
例えば、手袋をしていても寒いような日には、ポケットに薄型のカイロを入れておくことにより、さらに手を暖め、手を保温することが可能になる。
【００１２】
あるいは、ポケットには薄型の可撓性磁石を入れておくこともできる。工事現場などで本考案に係る手袋を使用する場合、ポケットに薄型の可撓性磁石を入れておくことにより、ポケットが形成されている領域に釘、ピン、ネジその他の鉄製物品を磁石の磁力で一時的に付着させておくことができ、両手が塞がっているような場合には、極めて有用である。
【００１３】
また、ポケットの開口を着脱自在に開閉するポケットカバーを設けることにより、ポケットの中に収納した物品の交換を容易に行うことができ、あるいは、ポケットの中に収納した物品の落下を防止することができる。
【００１４】
また、手袋のポケットが形成されている領域を他の領域とは異なる配色にすることにより、例えば、ポケットが形成されている領域を白、他の領域をグレーまたは黒のようなコントラスト的に対照的な配色にすることにより、ポケットが形成されている領域を一目で識別することができ、釘、ピン、ネジその他の鉄製物品を確実にポケットに収容されている可撓性磁石に付着させることができる。
【考案を実施するための最良の形態】
【００１５】
（第一の実施形態）
図１（Ａ）は手の甲の側から見た場合の本考案の第一の実施形態に係る手袋１００の平面図、図１（Ｂ）は手のひらの側から見た場合の手袋１００の平面図である。なお、図１（Ａ）及び図１（Ｂ）に示す手袋１００は左手用のものであり、右手用の手袋は同様の構造を有するものであるため、図示を省略する。
【００１６】
図１（Ａ）及び図１（Ｂ）に示すように、本実施形態に係る手袋１００は５本の指を入れることができる構造を有しており、伸縮性を有する吸着素材（滑り止め機能を有する素材）でつくられている。
【００１７】
手を入れる入り口である入り口部分１１０は伸縮性を有する素材でつくられている。さらに、この入り口部分１１０にはカット１１１が入れられており、手を入れやすいように二つの領域に分断されている。
【００１８】
カット１１１により分断された二つの領域のうちの一方の領域には雌の面ファスナー１２０が取り付けられている。また、カット１１１により分断された二つの領域のうちの他方の領域には延長部１２１が形成されており、この延長部１２１の裏面側には雄の面ファスナー１２２が取り付けられている。
【００１９】
ユーザーが入り口部分１１０から手袋１００の中に手を入れた後、延長部１２１を巻いて雄の面ファスナー１２２を雌の面ファスナー１２０に当てることにより、入り口部分１１０をユーザーの手首に密接させることができる。
【００２０】
さらに、本実施形態に係る手袋１００には、図１（Ａ）に示すように、手の甲を覆う領域の一部にわたってポケット１３０（破線で囲まれ、かつ、斜線が施されている領域）が形成されている。
【００２１】
ポケット１３０の外側表面には雌の面ファスナー１３１が取り付けられている。また、手袋１００にはポケット１３０の開口１３０Ａに沿ってポケットカバー１３２が形成されており、ポケットカバー１３２の内側表面（ポケット１３０と重なり合う面）には、雄の面ファスナー１３３が取り付けられている。
【００２２】
ポケットカバー１３２を巻いて雄の面ファスナー１３３を雌の面ファスナー１３１に当てることにより、ポケット１３０の開口１３０Ａを塞ぐことができ、また、雄の面ファスナー１３３を面ファスナー１３１から剥がすことにより、ポケット１３０の開口１３０Ａを開くことができる。
【００２３】
ポケット１３０を有することを特徴とする本実施形態に係る手袋１００によれば、以下のような効果を得ることができる。
【００２４】
例えば、手袋をしていても寒いような日には、ポケット１３０に薄型のカイロを入れておくことにより、手を保温することが可能になる。
【００２５】
あるいは、ポケット１３０には薄型の可撓性磁石を入れておくこともできる。工事現場などで手袋１００を使用する場合、ポケット１３０に薄型の可撓性磁石を入れておくことにより、手袋１００のポケット１３０が形成されている領域に釘、ピン、ネジその他の鉄製物品を一時的に付着させておくことができ、両手が塞がっているような場合には、極めて有用である。
【００２６】
また、ポケット１３０の開口１３０Ａを着脱自在に開閉するポケットカバー１３２が設けられているため、ポケット１３０の中に収納した物品の交換を容易に行うことができ、あるいは、ポケット１３０の中に収納した物品の落下を防止することができる。
【００２７】
また、手袋１００のポケット１３０が形成されている領域を他の領域とは異なる配色にすることも可能である。
【００２８】
例えば、ポケット１３０が形成されている領域を白、他の領域をグレーまたは黒のようなコントラスト的に対照的な配色にすることにより、ポケット１３０が形成されている領域を一目で識別することができ、釘、ピン、ネジその他の鉄製物品を確実にポケット１３０に収容されている可撓性磁石に付着させることができる。
【００２９】
（第二の実施形態）
図２（Ａ）は手の甲の側から見た場合の本考案の第二の実施形態に係る手袋２００の平面図、図２（Ｂ）は手のひらの側から見た場合の手袋２００の平面図である。なお、図２（Ａ）及び図２（Ｂ）に示す手袋２００は左手用のものであり、右手用の手袋は同様の構造を有するものであるため、図示を省略する。
【００３０】
図２（Ａ）及び図２（Ｂ）に示した本実施形態に係る手袋２００において、図１（Ａ）及び図１（Ｂ）に示した第一の実施形態に係る手袋１００と同一の構成要素には同一の参照符号を付し、詳しい説明は省略する。
【００３１】
本実施形態に係る手袋２００は、第一の実施形態に係る手袋１００と比較して、第二のポケット１４０をさらに備えている点が異なっている。
【００３２】
第二のポケット１４０は、図２（Ｂ）に示すように、手のひらを覆う領域の一部にわたって形成されている（破線で囲まれ、かつ、斜線が施されている領域）。
【００３３】
この第二のポケット１４０についても、ポケット１３０と同様の使い方をすることができる。
【００３４】
なお、第二のポケット１４０については、第一の実施形態におけるポケット１３０とは異なり、第二のポケット１４０に対応するポケットカバーは設けられていないが、第二のポケット１４０についても第一の実施形態におけるポケット１３０と同様にポケットカバー１３２を形成することができる。
【００３５】
また、第一の実施形態におけるポケット１３０と同様に、第二のポケット１４０が形成されている領域（破線で囲まれている領域）を手袋２００の他の領域とは異なる配色とすることにより、第二のポケット１４０が形成されている領域を一目で識別することができるようにすることもできる。
【００３６】
本考案の第二の実施形態に係る手袋２００によれば、手の甲側と手のひら側の双方にポケット１３０、１４０が設けられているため、第一の実施形態に係る手袋１００と比較して、利便性が向上する。
【００３７】
上述の第一及び第二の実施形態に係る手袋１００、２００は上記のような構造に限定されるものではなく、種々の改変が可能である。
【００３８】
第一の実施形態に係る手袋１００においては、ポケット１３０は手の甲側に設けられ、第二の実施形態に係る手袋２００においては、ポケット１３０、１４０は手の甲側と手のひら側の双方に設けられている。これに対して、ポケットを手のひら側にのみ設けることも可能である。
【００３９】
また、ポケット１３０、１４０はいずれも手の甲を覆う領域の一部または手のひらを覆う領域の一部にわたって形成されているが、ポケットを形成する領域はこれには限定されない。例えば、手袋の手の甲を覆う全域または手袋の手のひらを覆う全域にわたってポケットを形成することも可能である。
【００４０】
また、第一の実施形態に係る手袋１００においては、ポケット１３０の開口１３０Ａを覆うポケットカバー１３２は一対の面ファスナー１３１、１３３により、ポケット１３０の開口１３０Ａに対して開閉自在となっているが、一対の面ファスナー１３１、１３３に代えて、他の開閉手段を用いることも可能である。
【００４１】
例えば、一対の面ファスナー１３１、１３３に代えて、ボタン、ファスナー、フックなどを用いることもできる。
【００４２】
また、ポケット１３０、１４０の中に入れる薄型の可撓性磁石を予めポケット１３０、１４０の中に縫い込んでおくこともできる。
【図面の簡単な説明】
【００４３】
【図１】図１（Ａ）は手の甲の側から見た場合の本考案の第一の実施形態に係る手袋の平面図、図１（Ｂ）は手のひらの側から見た場合の本考案の第一の実施形態に係る手袋の平面図である。
【図２】図２（Ａ）は手の甲の側から見た場合の本考案の第二の実施形態に係る手袋の平面図、図２（Ｂ）は手のひらの側から見た場合の本考案の第二の実施形態に係る手袋の平面図である。
【符号の説明】
【００４４】
１００  本考案の第一の実施形態に係る手袋
１１０  入り口部分
１１１  カット
１２０  雌の面ファスナー
１２１  延長部
１２２  雄の面ファスナー
１３０  ポケット
１３０Ａ  ポケットの開口
１３１  雌の面ファスナー
１３２  ポケットカバー
１３３  雄の面ファスナー
２００  本考案の第二の実施形態に係る手袋
１４０  第二のポケット
【図１】
0003118615.tif 000003
【図２】
0003118615.tif 000004